(57)【要約】      （修正有）【課題】複数の薬を効率よく収納することができると共に、常に患者に対して薬袋の所在地を明確にして、薬を誤って服用したりあるいは服用を忘れたりすることのない薬袋保持具を提供する。【解決手段】両側板２、４の中央部分に切欠部２３、４３を構成し、この切欠部２３、４３に一対の上挟持板１２、３２と下挟持板１３、３３を対向配置して薬袋Ａを支持するための溝部１０を構成すると共に、上記一対の上挟持板１２、３２の下端の接点Ｙは、上記溝部１０の最下部より上方位置にあり、上記一対の下挟持板１３、３３は互いに接していて、その下部を係止片２８、４８で支持してなる。【選択図】図５
0003117681.tif 000002
【実用新案登録請求の範囲】
【請求項１】
正面板、背面板、両側板及び上面板等によって構成される箱体からなり、上記両側板の中央部分に切欠部を構成し、この切欠部に一対の上挟持板と下挟持板を対向配置して薬袋を支持するための溝部を構成すると共に、上記一対の上挟持板の下端の接点を、上記切欠部の下端より上方位置に配し、かつ上記一対の下挟持板を係止片で支持した薬袋保持具。
【請求項２】
正面板、背面板、両側板及び上面板等によって構成される箱体からなり、上記両側板の中央部分に切欠部を構成し、この切欠部に一対の上挟持板と下挟持板を対向配置して薬袋を支持するための溝部を構成すると共に、上記一対の上挟持板の下端の接点を、上記切欠部の下端より上方位置に配し、一方、下挟持板を挟持するためのスリットを設けた筒体を構成し、この筒体を上記箱体内部に配置し、上記スリットで下挟持板を支持した薬袋保持具。
【請求項３】
正面板、背面板、両側板あるいは上面板の表面の一部に薬の服用に関する事項や薬の宣伝文句や図柄等を記載したことを特徴とする請求項１又は請求項２記載の薬袋保持具。
【考案の詳細な説明】
【技術分野】
【０００１】
本考案は、患者に対して正確かつ確実に薬を服用させるための薬袋保持具に関するものである。
【背景技術】
【０００２】
従来より、毎日、毎回、患者に対して正確に薬を服用させるために各種の方法が講じられてきた。特に１度に服用する薬の種類がたくさんあるような場合や、患者が高齢者あるいは身体の不自由な場合は、毎回正確に薬を服用させるために、看護婦などは大変な苦労を強いられていた。
【０００３】
特許文献１に開示された発明は、与えられた薬が患者に容易に確認できる投薬方法であり、１回ごとの薬量に分けられた薬が封入された複数の分包を透明な薬袋に収納するとともに、同薬袋内に同分包とともに患者毎の個別の服用データを表示したデータ紙を同封して患者に投薬するようにしたものである。
【０００４】
この発明によれば、薬袋を受け取った患者は透明な薬袋を通して薬を目視できるため、わざわざ中から薬を取り出さなくてもどのような薬か患者が自ら確認することができる。その上、患者の服用データを表示したデータ紙を見ることによってその薬がその患者によって正しい薬であるかどうかを薬袋の外部から見て確認することができる。
【特許文献１】特開２００３−１０２８９  しかし、この特許文献１記載の発明では、複数の薬を同一の薬袋に収納はできるが、その後この薬袋を紛失したり、どこかへ置き忘れたりしは場合、患者は正確に薬を服用できないという問題点があった。
【考案の開示】
【考案が解決しようとする課題】
【０００５】
本考案は上記の点に鑑みなされたものであり、複数の薬を効率よく安定して収納することができると共に、常に患者に対して薬袋の所在地を明確にして、薬を誤って服用したりあるいは服用を忘れたりすることのない薬袋保持具を提供するものである。
【課題を解決するための手段】
【０００６】
本考案の要旨とするところは、正面板、背面板、両側板及び上面板等によって構成される箱体からなり、上記両側板の中央部分に切欠部を構成し、この切欠部に一対の上挟持板と下挟持板を対向配置して薬袋を支持するための溝部を構成すると共に、上記一対の上挟持板の下端の接点を、上記切欠部の下端より上方位置に配し、かつ上記一対の下挟持板を係止片で支持した薬袋保持具にある。
【０００７】
また本考案の要旨とするところは、正面板、背面板、両側板及び上面板等によって構成される箱体からなり、上記両側板の中央部分に切欠部を構成し、この切欠部に一対の上挟持板と下挟持板を対向配置して薬袋を支持するための溝部を構成すると共に、上記一対の上挟持板の下端の接点を、上記切欠部の下端より上方位置に配し、一方、下挟持板を挟持するためのスリットを設けた筒体を構成し、この筒体を上記箱体内部に配置し、上記スリットで上記一対の下挟持板を支持した薬袋保持具にある。
【０００８】
また本考案の要旨とするところは、上記薬袋保持具において、正面板、背面板、両側板あるいは上面板の表面の一部に薬の服用に関する事項や薬の宣伝文句や図柄等を記載したことにある。
【考案の効果】
【０００９】
請求項１に記載の考案は、構成が簡易であり組み立てあるいは展開が簡便、迅速に行なえ、堅牢に組み立てることができるため、据え置き型としてもあるいは携帯用にも便利に使える。
そして、複数の薬を一つの薬袋に効率よく収納して安定して保持することができ、常に患者に対して薬袋のある場所を明確にして、薬を誤って服用したりあるいは服用を忘れたりすることを防止できる等の効果を奏する。
【００１０】
請求項２に記載の考案は、上記請求項１の効果に加えて、内部に配置した筒体によって更に強固に組み立てることができ、また筒体が錘の作用を有するため安定度を増すのである。
【００１１】
請求項３に記載の考案は、正面板、背面板、両側板あるいは上面板の表面の一部に薬の服用に関する事項や薬の宣伝文句や図柄等を記載した場合には、常に患者に対して薬の飲み方等、薬に対する正確な知識与え、誤用、誤飲の防止ができる。
【考案を実施するための最良の形態】
【００１２】
本考案を実施するための最良の形態は、正面板、背面板、両側板及び上面板等から構成された箱体からなる薬袋保持具であり、この両側板の中央部分に縦方向に切欠部を構成し、この切欠部に一対の上挟持板と下挟持板を対向配置して薬袋を支持するための溝部を構成する。
上記一対の上挟持板の下端は、上記切欠部の下端より上方位置で接している。そして上記上挟持板に連続して設けた２枚の下挟持板は全面で接していて、その下部は係止片で支持されている。
さらに、正面板や上面板等の任意の箇所に薬の服用に関する事項や薬等の宣伝文句や図柄等を記載してなる。
【００１３】
以下、本考案の第１実施形態を図に基づいて説明する。
図１は組み立てた状態の斜視図、図２は図１のＡ―Ａ線断面図、図３は図１のＢ―Ｂ線断面図、図４は図３の一部拡大正面図、図５は展開図、図６、図７は組み立て過程の説明図及び図８は使用状態の説明図である。
【００１４】
本実施形態の薬袋保持具は、図１、図５に示すように全体を１枚の紙から作成して組み立てた略直方体形状の箱体からなり、上部中央に薬袋Ａを支持するための溝部１０を構成してある。また、薬袋保持具は紙に限らずプラスチックで構成しても良い。
この溝部１０は、両側板２、４の中央部に形成した略Ｖ字型の切欠部２３、４３の間に、上挟持板１２と上挟持板３２を上記切欠部２３，４３に沿わせて対向した状態で配置してある。
なお、この切欠部２３、４３の下端の角部を湾曲させて丸みをつけている。これは後述のように薬袋Ａを置いた際に角部が破損するのを防止するためである。この湾曲は角部の一方あるいは両方でも良い。また、丈夫な材質の場合は角部を設けなくても良い。
さらにこの上挟持板１２と上挟持板３２の下端に連設した下挟持板１３と下挟持板３３とが全面で接していて、その下端は係止片２８と係止片４８に切り込みを入れて作成したスリット２８ｂ，４８ｂに連続して構成された切欠部２８ａ、４８ａで支持され固定されるのである。
【００１５】
なお、上挟持板１２と上挟持板３２の長さは同一であるが、その下端の接点Ｙの上板面１１からの距離１０ｂは溝部１０の深さ１０ａより短いため、上記接点Ｙは常に溝部１０の下端すなわち切欠部４３の下端１０ｃより上方位置にあることになる。
【００１６】
次に、薬袋保持具の組み立て方を説明する。図５は薬袋保持具の展開図である。まず、折線Ｓ１、Ｓ２、Ｓ３、Ｓ４を内側（図中手前方向）に折り曲げて舌片１５を側板４に固定して、図６の状態とする。
【００１７】
次に、側板２の上端の舌片２１、２１と側板４の上端の舌片４１、４１をそれぞれ折線Ｓ５、Ｓ６で内側に折り曲げる。
一方、正面板１の上部に連設した上面板１１と背面板３の上面板３１をそれぞれ折線Ｓ７、Ｓ１０で内側に折り曲げて、上記舌片２１、２１と舌片４１、４１の上に重ねる。
このとき、上面板１１と舌片２１をのり又は両面テープ等で接着すると、上面板１１の上方への浮き上がりが防止される。なお、この接着は上面板１１か上面板３１のいずれか一方に施せば十分である。
さらに折線Ｓ８、Ｓ９、Ｓ１１、Ｓ１２を折り曲げて上挟持板１２、３２を対向させながら、下端に連設した下挟持板１３、３３を互いに合わせながら内側に折り込んでいき内部で接面させて図７の状態とする。
【００１８】
次に下面板２７、４７を折線Ｓ１３、Ｓ１５で内側に折り曲げ、さらに折線Ｓ１４、Ｓ１６を折り曲げて係止片２８、４８を互いに接面させながら折り込んでいき、内部で立設させる（図２参照）。
そして、下挟持板１３、３３を上記のように係止片２８、４８のスリット２８ｂ，４８ｂと切欠部２８ａ、４８ａで支持し、舌片３８を差し込んで組み立てが完成する。
このとき、係止片２８、４８の上部は下挟持板１３、３３の中央部に構成した孔１３ｂ、３３ｂに係合し、かつ下挟持板１３、３３の下部は係止片２８、４８の切欠部２８ａ、４８ａに係合する。この状態では係止片２８、４８が少し上方に引き上げられ、下面板２７、４７も引き上げられている。そのため下面板２７、４７が下方に戻ろうとする力が生じるため、下挟持板１３、３３と係止片２８、４８の係合状態はより強固になる。
【００１９】
本実施形態の使用に際しては、図８に示すように、透明または半透明の薬袋Ａを薬袋保持具の溝部１０に差し込んで固定する。その後上方の開口部から，錠剤あるいは粉末状の薬Ｍ，Ｍを投入すれば良い。あるいは予め薬袋Ａの中に薬Ｍ，Ｍを投入しておいてから、溝部１０に差し込んでも良い。
【００２０】
このとき薬袋Ａの幅は正面板１の幅より大きく、上挟持板１２、３２の接点Ｙは切欠部４３の下端１０ｃの上方にあるため、薬袋Ａは接点Ｙから下挟持板１３、３３を押し広げるようにして切欠部２３、４３の下端１０ｃ上に載置される。このため薬袋Ａは下挟持板１３、３３によって両側から挟まれた状態となり安定する（図４参照）。
【００２１】
また、薬袋Ａの幅が、正面板１の幅より小さい場合は、薬袋Ａは切欠部２３、４３の下端１０ｃ上に載置されずに、下挟持板１３、３３によって両側から挟まれた状態で安定して支持される。この下挟持板１３、３３は、上記の通りその下部を係止片２８、４８のスリット２８ｂ、４８ｂで挟持固定されて閉じた状態となっているため、薬袋Ａは係止片２８、４８によって下降が阻止されると共に、図４のように薬袋Ａによって外側に強制的に開拡された下挟持板１３、３３は、この開拡する力に対する反力が生じて薬袋Ａを内側に強く挟むのである。
また、図１４に示すように、方形の紙を畳んで袋状にして薬袋Ａを構成した場合は、薬袋Ａを切欠部２３、４３上に載置して上部に作成した開口部Ａ１より薬Ｍ，Ｍを投入するようにすれば良い。
【００２２】
このようにして薬袋Ａを固定して、看護者は薬袋Ａごとに薬Ｍを入れていけば良いため、薬Ｍの入れ間違いがなくなり、多くの患者の薬を手際よく正確に分けることができる。また予め薬袋Ａの中に薬Ｍを入れておき、その薬袋Ａを薬袋保持具に配っても良い。
また、患者も薬袋Ａの薬Ｍを一度に飲めばよいため、薬を誤って飲んだり飲み忘れることがなくなる。また、薬袋Ａは溝部１０に立設しているため人目につき易く、この点からも飲み忘れが防止される。
【００２３】
また、上面板１１や正面板１等の表面に薬のコマーシャルＣや薬の飲み方の注意書Ｄなどを印刷しても良い。さらには正面板１や側面板２、４等の一部を自己の好みのカラーにしたり、自己の名前を記載することによって、さらに薬の誤用、誤飲が防止できる。
本実施形態の薬袋保持具は、組み立てと展開が簡便にできるため、組み立てて病室に置くことができることは勿論、展開すれば携帯に便利であるし、旅行にも持って行き任意の場所で組み立てることができるのである。
【００２４】
次に、本考案の第２実施形態を図に基づいて説明する。
図９は筒体の展開図、図１０は筒体が薬袋保持具に収納される前の説明図、図１１は筒体が薬袋保持具へ収納された状態の斜視図、図１２は第２実施形態の、図２と同様な断面図及び図１３は第２実施形態の、図３と同様な断面図である。
【００２５】
第２実施形態は、薬袋保持具の内部に筒体を収納したものである。この筒体６０は、図示のように全体を１枚の長方形の紙またはプラスチックから作成して組み立てた断面長方形の筒体からなる。
【００２６】
図９に示すように筒体６０を構成する長方形の紙は、第１側板６１に折線Ｓ６１を介して第２側板６２を連設し、第２側板６２に折線Ｓ６２を介して第３側板６３を連設し、第３側板６３に折線Ｓ６３を介して第４側板６４を連設し、さらに第４側板６４に折線Ｓ６４を介して固定片６５を連設したものである。
上記第１側板６１と第３側板６３は同一幅である。第２側板６２と第４側板６４は同一幅であり、第１側板６１より幅が小さいのである。
また、上記各側板の高さは同一であり薬袋保持具に収容可能な高さとする。
【００２７】
そして、上記第１側板６１の側面端部中央には、水平方向に切り込みを入れて作成したスリット６１ｂが形成されている。また固定片６５の側面端部中央には、水平方向にスリット６２ｂが形成されている。このスリット６１ｂ、６２ｂは、一方を他方に差し込むことによって互いに噛みあって第１側板６１と固定片６５が固定され筒体６０を形成するのである。
【００２８】
上記第１側板６１と第３側板６３の中央部分には、上端から垂直方向に所定深さのスリット６１ａ、６２ａが形成されている。このスリット６１ａ、６２ａは、下挟持板１３、３３を挟持して支持する働きをする。
【００２９】
次に、筒体６０の組み立て方を説明する。まず、折線Ｓ６１、Ｓ６２、Ｓ６３、Ｓ６４を内側（図中手前方向）に折り曲げて筒状にして、スリット６２ｂと６１ｂを噛みあわせることで固定片６５と第１側板６１を固定して水平断面長方形の筒体とする。
【００３０】
次に図１０のように、筒体６０を薬袋保持具の下方から挿入して内部に収納していく。このとき筒体６０の第１側板６１と薬袋保持具の側板４とを平行にして、かつ薬袋保持具の中央部に配置するようにする。
【００３１】
そして、筒体６０の第１側板６１と第３側板６３のスリット６１ａ、６２ａが、互いに接面している下挟持板１３、３３のスリット１３ａ、３３ａに差し込まれていく。これによって下挟持板１３、３３が筒体６０に挟持されて支持されるのである。このとき、係止片２８、４８は立設せずに底面板３７の上に重ねておく。
【００３２】
上記のように、本実施形態によれば、下挟持板１３、３３が筒体６０により強力に固定されると共に、筒体６０は錘の作用もするから薬袋保持具を安定して使用することができる。
なお、筒体６０は断面長方形に限らず、断面円形の円筒あるいは断面楕円形の筒体でも良い。
【００３３】
次に、本考案の第３実施形態を図に基づいて説明する。
図１５は本実施形態の薬袋保持具の展開図、図１６は本実施形態の薬袋保持具を組み立てた状態の一部切欠き斜視図である。
【００３４】
第３実施形態は、上記略Ｖ字型の切欠部２３の位置に舌片２ｂ、２ｂを構成し、切欠部４３に位置に舌片４ｂ、４ｂを構成したものである。
上記舌片２ｂ、２ｂは、スリット２ａによって接していて折線２ｃ、２ｃによって折曲する。また、同様に舌片４ｂ、４ｂは、スリット４ａによって接していて折線４ｃ、４ｃによって折曲するのである
【００３５】
本実施形態の薬袋保持具を組み立てた状態では、図１６に示すように舌片２ｂ、２ｂ、４ｂ、４ｂを側板２、２、４、４から内側に９０度折曲して、この舌片２ｂ、２ｂ、４ｂ、４ｂの上に、上挟持板１２、下挟持板１３及び上挟持板３２、下挟持板３３を配置する。これによって各上挟持板と下挟持板がより安定して保持されることにより薬袋保持具がさらに堅牢となるのである。
【００３６】
次に、本考案の第４実施形態を図に基づいて説明する。
図１７は本実施形態の薬袋保持具の展開図、図１８は図２と同様な断面図及び図１９は図３と同様な断面図である。
本実施形態は、上記第３実施形態の展開図において、下面板２７、係止片２８の中央にスリット２８ｃを構成し、その先端に切欠部２８ｄを形成する。また、下面板４７、係止片４８の中央にもスリット４８ｃを構成し、その先端に切欠部４８ｄを形成したものである。
【００３７】
組み立てに際しては、上述のように下挟持板１３、３３を互いに合わせながら内側に折り込んでいき内部で接面させる。
次に下面板２７、４７を折線Ｓ１３、Ｓ１５で内側に折り曲げ、さらに折線Ｓ１４、Ｓ１６を折り曲げて係止片２８、４８を折り込んでいき、内部で互いに離間した状態で立設させる（図１８参照）。
そして、下挟持板１３、３３を上記のようにスリット２８ｃ，４８ｃと切欠部２８ｄ、４８ｄで支持し、舌片３８を差し込んで組み立てが完成する。
【００３８】
上記のように、本実施形態ではスリット２８ｃ、４８ｃが下面板２７、係止片２８と下面板４７、係止片４８にわたって構成されているため、下挟持板１３、３３が深く支持され、さらに切欠部２８ｄ、４８ｄの作用によって、各上挟持板と下挟持板がより安定して保持されることにより薬袋保持具がさらに堅牢となるのである。
【図面の簡単な説明】
【００３９】
【図１】第１実施形態の薬袋保持具を組み立てた状態の斜視図
【図２】図１のＡ―Ａ線断面図
【図３】図１のＢ―Ｂ線断面図
【図４】図３の一部拡大正面図
【図５】薬袋保持具の展開図
【図６】薬袋保持具の組み立て過程の説明図
【図７】薬袋保持具の組み立て過程の説明図
【図８】薬袋保持具の使用状態の説明図
【図９】第２実施形態の筒体の展開図
【図１０】筒体が薬袋保持具に収納される前の説明図
【図１１】筒体が薬袋保持具へ収納された状態の斜視図
【図１２】第２実施形態の、図２と同様な断面図
【図１３】第２実施形態の、図３と同様な断面図
【図１４】薬袋保持具の使用状態の説明図
【図１５】第３実施形態の薬袋保持具の展開図
【図１６】第３実施形態の薬袋保持具を組み立てた状態の一部切欠き斜視図
【図１７】第４実施形態の薬袋保持具の展開図
【図１８】第４実施形態の、図２と同様な断面図
【図１９】第４実施形態の、図３と同様な断面図
【符号の説明】
【００４０】
１  正面板
２  側板
３  背面板
４  側板
１０  溝部
１１  上面板
１２  上挟持板
１３  下挟持板
２３  切欠部
２８  係止片
３１  上面板
３２  上挟持板
３３  下挟持板
４３  切欠部
４８  係止片
Ｙ  接点
Ｓ１  折線
Ｓ２  折線
Ｓ３  折線
Ｓ４  折線
６０  筒体
６１ａ  スリット
６２ａ  スリット
【図１】
0003117681.tif 000003
【図２】
0003117681.tif 000004
【図３】
0003117681.tif 000005
【図４】
0003117681.tif 000006
【図５】
0003117681.tif 000007
【図６】
0003117681.tif 000008
【図７】
0003117681.tif 000009
【図８】
0003117681.tif 000010
【図９】
0003117681.tif 000011
【図１０】
0003117681.tif 000012
【図１１】
0003117681.tif 000013
【図１２】
0003117681.tif 000014
【図１３】
0003117681.tif 000015
【図１４】
0003117681.tif 000016
【図１５】
0003117681.tif 000017
【図１６】
0003117681.tif 000018
【図１７】
0003117681.tif 000019
【図１８】
0003117681.tif 000020
【図１９】
0003117681.tif 000021